【手続補正書】
【提出日】平成29年5月29日(2017.5.29)
【手続補正１】
【補正対象書類名】明細書
【補正対象項目名】発明の名称
【補正方法】変更
【補正の内容】
【発明の名称】コンテンツ出力装置、コンテンツ出力システム、コンテンツ出力方法、コンテンツ出力プログラム、および通信端末
【手続補正２】
【補正対象書類名】明細書
【補正対象項目名】０００１
【補正方法】変更
【補正の内容】
【０００１】
本発明は、デジタルサイネージにコンテンツを出力するためのコンテンツ出力装置、コンテンツ出力システム、コンテンツ出力方法、コンテンツ出力プログラムおよび、これらと連携動作する通信端末に関する。
【手続補正３】
【補正対象書類名】明細書
【補正対象項目名】０００９
【補正方法】変更
【補正の内容】
【０００９】
そこで、本発明は、顧客に対して継続的にコンテンツとの双方向性を感じさせることにより、興味を持続させることができるコンテンツ出力装置、コンテンツ出力システム、コンテンツ出力方法、コンテンツ出力プログラム、および通信端末を提供とすることを課題とする。
【手続補正４】
【補正対象書類名】明細書
【補正対象項目名】００１０
【補正方法】変更
【補正の内容】
【００１０】
前記した課題を解決するため、本発明のコンテンツ出力装置は、顧客に携帯される通信端末と通信する通信部と、各前記通信端末との通信回数を、所定期間ごとにカウントする通信回数カウント部と、前記通信回数カウント部がカウントした通信回数に応じたコンテンツを選択するコンテンツ選択部と、前記コンテンツ選択部が選択したコンテンツを出力するコンテンツ出力部とを備える。
その他の手段については、発明を実施するための形態のなかで説明する。
【手続補正５】
【補正対象書類名】明細書
【補正対象項目名】００１１
【補正方法】変更
【補正の内容】
【００１１】
本発明によれば、顧客に対して継続的にコンテンツとの双方向性を感じさせることにより、興味を持続させることができるコンテンツ出力装置、コンテンツ出力システム、コンテンツ出力方法、コンテンツ出力プログラム、および通信端末を提供することが可能となる。
【手続補正６】
【補正対象書類名】特許請求の範囲
【補正対象項目名】全文
【補正方法】変更
【補正の内容】
【特許請求の範囲】
【請求項１】
顧客に携帯される通信端末と通信する通信部と、
各前記通信端末との通信回数を、所定期間ごとにカウントする通信回数カウント部と、
前記通信回数カウント部がカウントした通信回数に応じたコンテンツを選択するコンテンツ選択部と、
前記コンテンツ選択部が選択したコンテンツを出力するコンテンツ出力部と、を備える
ことを特徴とするコンテンツ出力装置。
【請求項２】
前記通信回数カウント部は、前記通信部が通信した第一の通信タイミングと、前記第一の時点より前の時点且つ、前記第一の時点に最も近い第二の通信タイミングとを比較することにより、前記所定期間ごとの通信回数をカウントする、
ことを特徴とする請求項１に記載のコンテンツ出力装置。
【請求項３】
前記コンテンツ選択部が選択したコンテンツに応じた顧客配布情報を、前記通信端末に送信する顧客配布情報送信部、を備える、
ことを特徴とする請求項１又は２に記載のコンテンツ出力装置。
【請求項４】
前記通信回数カウント部は、前記通信端末の前記所定期間ごとの通信回数を累積してカウントし、
前記コンテンツ選択部は、前記通信回数カウント部がカウントした累積通信回数に応じたコンテンツを選択する、
ことを特徴とする請求項１から３の何れか１項に記載のコンテンツ出力装置。
【請求項５】
請求項１に記載の前記コンテンツ出力装置と、前記通信端末とを含んで構成されるコンテンツ出力システムにおいて、
前記通信端末は、通信回数を記憶する記憶部を含んで構成され、
前記通信部は、前記通信端末から通信回数を受信し、
前記通信回数カウント部は、前記通信部が、前記所定期間において新たに前記通信端末と通信した場合、通信回数に１を加算したのち、１加算した通信回数を前記通信端末に送信することにより、通信回数をカウントする、
ことを特徴とするコンテンツ出力システム。
【請求項６】
請求項１に記載の複数の前記コンテンツ出力装置と、前記通信端末に係る通信回数を記憶するサーバと、を含んで構成されるコンテンツ出力システムにおいて、
前記通信部は、前記通信端末の識別情報を受信し、
前記通信回数カウント部は、前記通信部が前記所定期間において新たな識別情報を受信したならば、前記サーバから前記通信端末に係る通信回数を受信して１加算したのち、１加算した通信回数を前記サーバに送信する、
ことを特徴とするコンテンツ出力システム。
【請求項７】
前記通信回数カウント部は、前記通信部が通信した第一の通信タイミングと、前記第一の時点より前の時点且つ、前記第一の時点に最も近い第二の通信タイミングとを比較することにより、前記所定期間ごとの通信回数をカウントし、
前記コンテンツ出力装置は、
前記通信部が前記通信端末の識別情報を受信した場合、前記サーバから当該通信端末に係る前記第二の通信タイミングを受信して、前記所定期間において新たな識別情報を受信したか否かを判断する判断手段を更に備える、
ことを特徴とする請求項６に記載のコンテンツ出力システム。
【請求項８】
コンテンツ出力装置及びサーバとからなるコンテンツ出力システムにおいて、
顧客に携帯される通信端末と通信する通信部、
各前記通信端末との通信回数を、所定期間ごとにカウントする通信回数カウント部
前記通信回数カウント部がカウントした通信回数に応じたコンテンツを選択するコンテンツ選択部、
前記コンテンツ選択部が選択したコンテンツを出力するコンテンツ出力部、
の機能を前記コンテンツ出力装置又は前記サーバで実行することを特徴とするコンテンツ出力システム。
【請求項９】
前記コンテンツ選択部は、前記通信回数カウント部がカウントした通信回数に応じたコンテンツを選択して、選択したコンテンツの情報を前記出力手段に送信する、
ことを特徴とする請求項８に記載のコンテンツ出力システム。
【請求項１０】
前記サーバは、前記コンテンツ出力装置と通信端末との通信頻度を算出する頻度算出部を備え、
前記コンテンツ選択部は、前記通信回数カウント部がカウントした通信回数と、前記頻度算出部が算出した通信頻度とに応じたコンテンツを選択して、選択したコンテンツの情報を前記コンテンツ出力装置に送信する、
ことを特徴とする請求項８又は９に記載のコンテンツ出力システム。
【請求項１１】
前記サーバは、
前記コンテンツ選択部が選択したコンテンツに応じた顧客配布情報を、前記通信端末に送信する顧客配布情報送信部、を備える、
ことを特徴とする請求項８から１０の何れか１項に記載のコンテンツ出力システム。
【請求項１２】
顧客に携帯される通信端末と通信する通信手段を制御する第一制御ステップと、
各前記通信端末との通信回数を、所定期間ごとにカウントする通信回数カウントステップと、
前記通信回数カウント部がカウントした通信回数に応じたコンテンツを選択するコンテンツ選択ステップと、
前記コンテンツ選択部が選択したコンテンツを出力するようにコンテンツ出力部を制御する第二制御ステップと、
を含むことを特徴とするコンテンツ出力方法。
【請求項１３】
コンピュータを、
顧客に携帯される通信端末と通信する通信手段を制御する第一制御部、
各前記通信端末との通信回数を、所定期間ごとにカウントする通信回数カウント部、
前記通信回数カウント部がカウントした通信回数に応じたコンテンツを選択するコンテンツ選択部、
前記コンテンツ選択部が選択したコンテンツを出力するようにコンテンツ出力部を制御する第二制御部、
として機能させることを特徴とするコンテンツ出力プログラム。